(57)【要約】【課題】  手作業によることなく簡単な構成かつ修理交換が容易で安価な構成によってタイヤ周辺に収穫物が転がり込むのを防止し、収穫物の排出時における作業効率を向上することができるタイヤガード装置およびこれを搭載した農作物収穫機を提供する。【解決手段】  収穫機本体１０の側方であって収穫物タンク１２の排出側下方において上下に平行移動可能に支持された上下平行リンク機構２と、縦連結棒２２に取り付けられてタイヤ１３前方に収穫物が転がり込むのを阻止するタイヤガード３と、このタイヤガード３に一端を連結され滑車４２を経由して他端を収穫機本体１０の収穫物タンク１２下に連結してタイヤガード３を阻止位置に吊り下げる吊下ワイヤー４と、収穫物タンク１２が収納位置へ下降する動作に伴って吊下ワイヤー４の一部を押し下げ滑車４２を介してタイヤガード３を待機位置へ上昇させる押下部５とを有する。【選択図】  図１
0003133198.tif 000002
【実用新案登録請求の範囲】
【請求項１】
収穫物を収納および排出するために上下方向に回動する収穫物タンクを備えた農作物収穫機に取り付けられるタイヤガード装置であって、
収穫機本体の側方であって前記収穫物タンクの排出側下方において上下に平行移動可能に支持された上下平行リンク機構と、
前記上下平行リンク機構の縦連結棒に取り付けられてタイヤ前方に収穫物が転がり込むのを阻止するタイヤガードと、
このタイヤガードに一端を連結するとともに滑車を経由して他端を前記収穫機本体の収穫物タンク下に連結して前記タイヤガードを収穫物の転がり込みを阻止する位置に吊り下げる吊下ワイヤーと、
前記収穫物タンクが収納位置へ下降する動作に伴って前記吊下ワイヤーの一部を押し下げることにより前記滑車を介して前記タイヤガードを待機位置へ上昇させる押下部と
を有することを特徴とするタイヤガード装置。
【請求項２】
収穫物を収納および排出するために上下方向に回動する収穫物タンクを備えた農作物収穫機に取り付けられるタイヤガード装置であって、
収穫機本体の側方であって前記収穫物タンクの排出側下方において上下に平行移動可能に支持された上下平行リンク機構と、
前記上下平行リンク機構の縦連結棒に取り付けられてタイヤ前方に収穫物が転がり込むのを阻止するタイヤガードと、
前記収穫機本体に設けられて前記タイヤガードを上下動させるアクチュエータと、
前記収穫物タンクが収穫物排出位置へ上昇回動したときに前記タイヤガードを収穫物の転がり込み阻止位置に下降させるとともに、前記収穫物タンクが収穫物収納位置へ下降回動したときに前記タイヤガードを待機位置へ上昇させるように前記アクチュエータの制御を行う制御手段とを
有していることを特徴とするタイヤガード装置。
【請求項３】
請求項１または請求項２に記載のタイヤガード装置を搭載していることを特徴とする農作物収穫機。
【考案の詳細な説明】
【技術分野】
【０００１】
本考案は、農作物収穫機における改良技術に関し、特に、収穫物タンクから排出された収穫物がタイヤ周辺に転がり込むのを防止するのに好適なタイヤガード装置およびこれを搭載した農作物収穫機に関するものである。
【背景技術】
【０００２】
従来、収穫物を収容するための収穫物タンクを備えた農作物収穫機が知られている。例えば、特開２００３−３３３９１４号公報には、片側を支点にして上方へ回動自在に取付け、上方回動によりビートを放出するようにしたビートタンクの上部開放部にビート投入用のコンベアフレーム先端を臨ませ、ビートタンクの上下回動に伴ってコンベアフレームの先端部がビートタンクの外面に摺接するようになされたビートハーベスタが開示されている（特許文献１）。
【０００３】
【特許文献１】特開２００３−３３３９１４号公報
【考案の開示】
【考案が解決しようとする課題】
【０００４】
しかしながら、特許文献１に記載された発明を含め、従来の農作物収穫機においては、収穫物を収穫物タンクから落下させるように排出するため、収穫物がタイヤ周辺に転がり込んでしまうことが多い。このため、収穫物がタイヤの邪魔となり、農作物収穫機の移動を妨害してしまうという問題がある。また、タイヤで踏み潰された収穫物は商品価値が無くなるため、収穫量が減少してしまうという問題もある。
【０００５】
したがって、従来、収穫物を排出する度に、別途、作業者の手作業によってタイヤ周辺に散在された収穫物を取り除く作業が行われている。あるいは、遮蔽用のパネルを持った作業者を農作物収穫機の側面に配置し、当該パネルによって収穫物がタイヤ周辺に転がり込むのを遮断したりしている。このため、収穫物の排出作業には、多大な労力と時間を要し、作業効率が悪いという問題がある。
【０００６】
本考案は、このような問題点を解決するためになされたものであって、手作業によることなく簡単な構成かつ修理交換が容易で安価な構成によってタイヤ周辺に収穫物が転がり込むのを防止し、収穫物の排出時における作業効率を向上することができるタイヤガード装置およびこれを搭載した農作物収穫機を提供することを目的としている。
【課題を解決するための手段】
【０００７】
本考案に係るタイヤガード装置の特徴は、収穫物を収納および排出するために上下方向に回動する収穫物タンクを備えた農作物収穫機に取り付けられるタイヤガード装置であって、前記収穫機本体の側方であって前記収穫物タンクの排出側下方において上下に平行移動可能に支持された上下平行リンク機構と、前記上下平行リンク機構の縦連結棒に取り付けられてタイヤ前方に収穫物が転がり込むのを阻止するタイヤガードと、このタイヤガードに一端を連結するとともに滑車を経由して他端を前記収穫機本体の収穫物タンク下に連結して前記タイヤガードを収穫物の転がり込みを阻止する位置に吊り下げる吊下ワイヤーと、前記収穫物タンクが収納位置へ下降する動作に伴って前記吊下ワイヤーの一部を押し下げることにより前記滑車を介して前記タイヤガードを待機位置へ上昇させる押下部とを有する点にある。
【０００８】
また、本考案に係るタイヤガード装置の特徴は、収穫物を収納および排出するために上下方向に回動する収穫物タンクを備えた農作物収穫機に取り付けられるタイヤガード装置であって、前記収穫機本体の側方であって前記収穫物タンクの排出側下方において上下に平行移動可能に支持された上下平行リンク機構と、前記上下平行リンク機構の縦連結棒に取り付けられてタイヤ前方に収穫物が転がり込むのを阻止するタイヤガードと、前記収穫機本体に設けられて前記タイヤガードを上下動させるアクチュエータと、前記収穫物タンクが収穫物排出位置へ上昇回動したときに前記タイヤガードを収穫物の転がり込み阻止位置に下降させるとともに、前記収穫物タンクが収穫物収納位置へ下降回動したときに前記タイヤガードを待機位置へ上昇させるように前記アクチュエータの制御を行う制御手段とを有している点にある。
【０００９】
また、本考案に係る農作物収穫機の特徴は、請求項１または請求項２に記載のタイヤガード装置を搭載している点にある。
【考案の効果】
【００１０】
本考案によれば、手作業によることなく簡単な構成で、かつ容易で安価に修理交換可能な構成によりタイヤ周辺に収穫物が転がり込むのを防止し、収穫物の排出時における作業効率を向上することができる。
【考案を実施するための最良の形態】
【００１１】
以下、本考案に係るタイヤガード装置１およびこれを搭載した農作物収穫機１０の第１実施形態について図面を用いて説明する。図１は、本第１実施形態のタイヤガード装置１を示す全体図である。
【００１２】
図１に示すように、本第１実施形態の農作物収穫機１０は、ヒッチ１１を介してトラクタ（図示せず）に牽引されるタイプの収穫機である。この農作物収穫機１０は、収穫物を収納および排出するために上下方向に回動自在な収穫物タンク１２と、一対のタイヤ１３，１３とを有している。そして、本第１実施形態のタイヤガード装置１は、農作物収穫機１０に取り付けられるものであり、主として、収穫機本体１０に設けられる上下平行リンク機構２と、この上下平行リンク機構２に支持されるタイヤガード３と、このタイヤガード３を吊り下げるための吊下ワイヤー４と、この吊下ワイヤー４を押し下げるための押下部５とを有している。
【００１３】
以下、各構成部についてより詳細に説明する。上下平行リンク機構２は、タイヤガード３を上下方向に平行移動させるためのものである。本第１実施形態において、上下平行リンク機構２は、図１に示すように、収穫機本体１０の側方であって収穫物タンク１２の排出側下方において上下回動自在に設けられる一対のリンク部材２１，２１と、これらリンク部材２１，２１の先端部に揺動自在に設けられる縦連結棒２２とから構成されている。図１に示すように、本実施形態では、前記上下平行リンク機構２が農作物収穫機１０の前後方向に所定の間隔を隔てて２つ設けられているが、数に制限はなく、１つまたは３つ以上設けてもよい。
【００１４】
タイヤガード３は、収穫物がタイヤ１３の前方に転がり込むのを阻止する役割を果たすものである。本第１実施形態において、タイヤガード３は、図１に示すように、複数本の金属棒が収穫物を通過させない間隔をもって水平に取り付けられており、これら金属棒によって収穫物を遮断するガード面３１を構成している。また、タイヤガード３は、そのガード面３１が収穫機本体１０の側面を向くように縦連結棒２２に固定されている。
【００１５】
吊下ワイヤー４は、鋼鉄線等から構成されており、タイヤガード３を所定位置に吊り下げ、収穫物タンク１２の上下回動に連動させて前記タイヤガード３を上下動させるものである。本第１実施形態では、図１および図２に示すように、タイヤガード３の裏側に連結部材４１が設けられており、この連結部材４１に吊下ワイヤー４の一端が連結されている。また、本第１実施形態において、収穫機本体１０には、タイヤガード３の上方位置に滑車４２が設けられており、この滑車４２を経由させた吊下ワイヤー４の他端が収穫物タンク１２の下方において収穫機本体１０に連結されている。
【００１６】
押下部５は、吊下ワイヤー４の一部を下方に押し下げ、前記滑車４２を介してタイヤガード３を上昇させる役割を果たすものである。本実施形態において、押下部５は、図１に示すように、収穫物タンク１２の底部に設けられており、収穫物タンク１２が収納位置に下降する際、吊下ワイヤー４の一部、つまり滑車４２と固定端との間の吊下ワイヤー４を押し下げるように構成されている。なお、押下部５には、吊下ワイヤー４との摩擦抵抗を考慮すると、滑車構造を用いることが好ましい。
【００１７】
以上において、本第１実施形態では、図１から図３に示すように、収穫物タンク１２が排出位置へ上昇回動され吊下ワイヤー４に外力が作用していないとき、タイヤガード３が収穫物の転がり込みを阻止しうる高さ位置（阻止位置）で保持されるように吊下ワイヤー４の長さが設定されている。一方、図４および図５に示すように、収穫物タンク１２が収納位置へ下降回動され、押下部５によって吊下ワイヤー４が押し下げられているとき、タイヤガード３が地面に接触するおそれがなく、走行の邪魔にもならない高さ位置（待機位置）まで上昇するように押下部５の設置箇所が設定されている。
【００１８】
つぎに、本第１実施形態のタイヤガード装置１およびこれを搭載した農作物収穫機１０による作用について図面を用いて説明する。
【００１９】
本第１実施形態の農作物収穫機１０において、ポテトやビート等の収穫物を収穫物タンク１２から排出する場合、まず、収穫物を排出すべき適当な場所に農作物収穫機１０を停車させる。このとき、収穫物タンク１２は、図４および図５に示すように、下方の収穫物収納位置にあるため、押下部５が吊下ワイヤー４を押し下げている。このため、吊下ワイヤー４は、滑車４２および連結部材４１を介してタイヤガード３を上方向に引っ張り、待機位置で保持している。
【００２０】
つぎに、収穫物を排出するため収穫物タンク１２を収穫物排出位置へ上昇回動させると、押下部５も上方へ移動するため、吊下ワイヤー４に付与されていた押下力が徐々に減少する。これにより、タイヤガード３は、その自重により上下平行リンク機構２に従って降下し、そのガード面３１がタイヤ１３の前方に保持されたところで吊下ワイヤー４が延びきって阻止位置に静止する。したがって、図６に示すように、収穫物タンク１２から排出された収穫物が、タイヤ１３の前方に転がりそうになった場合でも、タイヤガード３が収穫物を堰き止め、タイヤ１３前方に転がり込むのを防止する。
【００２１】
一方、収穫物の排出作業が完了すると、収穫物タンク１２が下降回動され、再び収穫物収納位置へと戻される。この下降動作に伴って、押下部５が吊下ワイヤー４の一部を徐々に押し下げ、タイヤガード３に上方向の引張力を付与する。これにより、タイヤガード３は、収穫物タンク１２の下降回動に連動して上昇し、再び待機位置に保持されるようになっている。
【００２２】
以上のような本第１実施形態のタイヤガード装置１およびこれを搭載した農作物収穫機１０によれば、
１．作業者の手作業に頼ることなくタイヤ１３の前方に収穫物が転がり込むのを防止することができる。
２．収穫物を排出した後、迅速に農作物収穫機１０を移動させることができる。
３．収穫物を踏み潰して無駄にしてしまうのを防止することができる。
４．簡単な構成で収穫物タンク１２の上下回動とタイヤガード３の上下動とを連動させることができる
５．吊下ワイヤー４や滑車４２のように安価で容易に修理交換可能な部材で構成でき、メンテナンスにかかるコストや手間を低減することができる等の効果を奏する。
【００２３】
つぎに、本発明に係るタイヤガード装置１Ｂおよびこれを搭載した農作物収穫機１０Ｂの第２実施形態について説明する。なお、本第２実施形態の構成のうち、上述した第１実施形態の構成と同一若しくは同等の構成については同一の符号を付し、再度の説明を省略する。
【００２４】
本第２実施形態の特徴は、第１実施形態の吊下ワイヤー４および押下部５を使用せず、アクチュエータ６を用いてタイヤガード３を上下動させる点にある。具体的には、図７に示すように、タイヤガード３を上下動させるためのアクチュエータ６と、このアクチュエータ６を制御する制御手段７とが収穫機本体１０に設けられている。
【００２５】
アクチュエータ６は、油圧シリンダ、電動シリンダ、あるいは油圧または電動による巻き上げモータ等により構成されている。そして、上下平行リンク機構２あるいはタイヤガード３に上下方向の駆動力を付与するように構成されている。
【００２６】
また、制御手段７は、ＣＰＵ（Central Processing Unit）等から構成されており、収穫物タンク１２を上下回動させるタンク用シリンダ８と、アクチュエータ６とが連動するように制御するものである。本第２実施形態において、制御手段７は、図７に示すように、収穫物タンク１２を収穫物排出位置へ上昇回動させるときにタイヤガード３を阻止位置に下降させるとともに、収穫物タンク１２を収穫物収納位置へ下降回動させるときにタイヤガード３を待機位置へ上昇させるようにプログラムされている。
【００２７】
以上のような本第２実施形態によれば、上述した第１実施形態の作用効果に加えて、収穫物タンク１２の上下回動に連動してタイヤガード３が上下動するタイミングを適宜設定できるため、収穫物の種類や収量等に応じて、タイヤガード３を阻止位置に配置させるタイミング、および待機位置に戻すタイミングを容易かつ緻密に調節することができる等の効果を奏する。
【００２８】
なお、本考案に係るタイヤガード装置１は、上述した各実施形態に限定されるものではなく、適宜変更することができる。例えば、上述した各実施形態では、複数本の金属棒からなる柵状のタイヤガード３を使用しているが、この構成に限られるものではなく、板状のタイヤガード３を使用してもよい。
【図面の簡単な説明】
【００２９】
【図１】本考案に係るタイヤガード装置およびこれを搭載した農作物収穫機の第１実施形態を示す斜視図である。
【図２】本第１実施形態のタイヤガード装置が、阻止位置にある状態を示す正面図である。
【図３】本第１実施形態のタイヤガード装置が、阻止位置にある状態を示す斜視図である。
【図４】本第１実施形態のタイヤガード装置が、待機位置にある状態を示す左側面図である。
【図５】本第１実施形態のタイヤガード装置が、待機位置にある状態を示す斜視図である。
【図６】本第１実施形態のタイヤガード装置が、収穫物の転がりを阻止している状態を示す正面図である。
【図７】本第２実施形態のタイヤガード装置を示すブロック図である。
【符号の説明】
【００３０】
１  タイヤガード装置
２  上下平行リンク機構
３  タイヤガード
４  吊下ワイヤー
５  押下部
６  アクチュエータ
７  制御手段
８  タンク用シリンダ
１０  農作物収穫機（収穫機本体）
１１  ヒッチ
１２  収穫物タンク
１３  タイヤ
２１  リンク部材
２２  縦連結棒
３１  ガード面
４１  連結部材
４２  滑車
【図１】
0003133198.tif 000003
【図２】
0003133198.tif 000004
【図３】
0003133198.tif 000005
【図４】
0003133198.tif 000006
【図５】
0003133198.tif 000007
【図６】
0003133198.tif 000008
【図７】
0003133198.tif 000009